(57)【要約】  【課題】  内部のメモリがフル状態または故障状態になっても、入力した画像データを高いセキュリティ状態で可搬型記憶媒体に記憶できる画像処理装置を提供する。  【解決手段】  外部のファクシミリ装置またはＰＣから画像データを受信した際に、画像メモリ８の使用状態を判断し、画像メモリ８がフル状態であるか、または、画像メモリ８が故障している場合には、パスワードを使って画像データを暗号化部９で暗号化し、その暗号化画像データを、外部メモリ装着部１４に装着したフラッシュメモリ２１に書き込んで記憶する。受信した画像データが記憶不能状態に陥ることはなく、また、フラッシュメモリ２１が誰かに持ち出されても、その持出人は記憶されている画像データを閲覧できず、セキュリティ性は高い。【選択図】      図１
2006135908.tif 000002
【特許請求の範囲】
【請求項１】
装脱可能な可搬型記憶媒体を装着する装着手段と、画像データを入力する入力手段と、入力された画像データを記憶する記憶手段と、該記憶手段の状態に基づいて、入力された画像データを前記記憶手段に記憶するか前記可搬型記憶媒体に記憶するかを切り替える切替手段とを備える画像処理装置であって、入力された画像データを暗号化する暗号化手段と、入力された画像データを前記可搬型記憶媒体に記憶する場合に、前記暗号化手段で暗号化した後に記憶するように制御する制御手段とを備えることを特徴とする画像処理装置。
【請求項２】
暗号化された画像データを復号する復号手段を備えており、前記制御手段は、可搬型記憶媒体に記憶されている暗号化画像データを読み出す場合に、前記暗号化画像データを前記復号手段で復号させながら読み出すように制御すべく構成してあることを特徴とする請求項１記載の画像処理装置。
【請求項３】
前記暗号化手段による画像データの暗号化、及び前記復号手段による暗号化画像データの復号に使用する鍵情報を記憶する鍵情報記憶手段を備えることを特徴とする請求項２記載の画像処理装置。
【請求項４】
前記制御手段は、前記記憶手段の記憶可能な容量が所定量以下である場合、または、前記記憶手段が故障している場合に、入力された画像データを暗号化して前記可搬型記憶媒体に記憶するように制御すべく構成してあることを特徴とする請求項１乃至３のいずれかに記載の画像処理装置。
【請求項５】
前記制御手段は、入力された画像データの種別に基づいて、入力された画像データを暗号化して前記可搬型記憶媒体に記憶するか、または、入力された画像データを暗号化せずに前記可搬型記憶媒体に記憶するかを切り替えるべく構成してあることを特徴とする請求項１乃至４のいずれかに記載の画像処理装置。
【請求項６】
日時を計測する計時手段を備えており、前記制御手段は、所定の時間帯である場合に、入力された画像データを暗号化して前記可搬型記憶媒体に記憶するように制御すべく構成してあることを特徴とする請求項１乃至５のいずれかに記載の画像処理装置。
【発明の詳細な説明】
【技術分野】
【０００１】
本発明は、フラッシュメモリなどの可搬型記録媒体が装脱可能であり、可搬型記録媒体との間で画像データの書込み／読出しを行う画像処理装置に関するものである。
【背景技術】
【０００２】
従来、外部から画像データを受信入力するファクシミリ装置、複合機などの画像処理装置にあって、内部の画像メモリがフル状態になった場合、受信入力処理を終了したり、または、受信しながら書込みを行う必要があった。このような際には、外部から受信した画像データを記憶できなかったり、書込み速度が受信速度によって制限されるという問題があった。
【０００３】
そこで、フラッシュメモリなどの可搬型記録媒体を装着可能な構成として、内部の画像メモリがフル状態になった場合には、外部から受信した画像データを装着させた可搬型記録媒体に書込んで記憶しておき、その後、記憶した画像データを可搬型記録媒体から読み出して、例えばプリントアウトなどの処理を行う画像処理装置が提案されている。
【０００４】
なお、本発明に関連する技術として、特許文献１，２がある。特許文献１には、記憶装置に予め設定されたパスワードと外部から入力されたパスワードとが一致するか否かを判定し、その判定結果に基づいて、その記憶装置からのデータの読出しの許容／禁止を制御する技術が開示されている。また、特許文献２には、送信側の電子機器でパスワードを付加して画像データを送信し、受信側の電子機器で受信した画像データに付加されているパスワードと予め受信側の電子機器に設定しておいたパスワードとが一致するか否かを判定し、一致した場合にのみ、受信した画像データを記憶して見ることができる技術が開示されている。
【特許文献１】特開平９−６９０６７号公報
【特許文献２】特開平１０−２４８０４５号公報
【発明の開示】
【発明が解決しようとする課題】
【０００５】
上述したように装着した可搬型記録媒体に外部から入力した画像データを記憶する構成においては、内部の画像メモリがフル状態になった場合または内部の画像メモリが故障している場合でも、画像データの入力を拒否することなく、また入力速度に影響を受けることなく、画像データを記憶することができる。しかしながら、記憶媒体が可搬型であって、不特定多数の人が誰でも簡単に持って行けるため、それに記憶された画像データを自由に閲覧することができ、この画像データが機密文書である場合には問題となる。よって、このような可搬型記録媒体を使用するときには、セキュリティが重要な課題である。
【０００６】
本発明は斯かる事情に鑑みてなされたものであり、例えば内部のメモリがフル状態になっても、入力した画像データを高いセキュリティ状態で可搬型記憶媒体に記憶することができる画像処理装置を提供することを目的とする。
【課題を解決するための手段】
【０００７】
第１発明に係る画像処理装置は、装脱可能な可搬型記憶媒体を装着する装着手段と、画像データを入力する入力手段と、入力された画像データを記憶する記憶手段と、該記憶手段の状態に基づいて、入力された画像データを前記記憶手段に記憶するか前記可搬型記憶媒体に記憶するかを切り替える切替手段とを備える画像処理装置であって、入力された画像データを暗号化する暗号化手段と、入力された画像データを前記可搬型記憶媒体に記憶する場合に、前記暗号化手段で暗号化した後に記憶するように制御する制御手段とを備えることを特徴とする。
【０００８】
第１発明の画像処理装置にあっては、内部の記憶手段の状態に基づき、例えば、内部の記憶手段の残容量が少ないかまたは無い場合に、入力された画像データを暗号化手段にて暗号化し、その暗号化画像データを可搬型記憶媒体に記憶する。よって、生の画像データではなく、暗号化した後に画像データを可搬型記憶媒体に記憶するため、可搬型記憶媒体が誰かに持ち去られた場合でも、記憶されている画像データの内容が閲覧されずに安全である。よって、高いセキュリティ状態での可搬型記憶媒体への画像データの記憶を実現する。
【０００９】
第２発明に係る画像処理装置は、第１発明において、暗号化された画像データを復号する復号手段を備えており、前記制御手段は、可搬型記憶媒体に記憶されている暗号化画像データを読み出す場合に、前記暗号化画像データを前記復号手段で復号させながら読み出すように制御すべく構成してあることを特徴とする。
【００１０】
第２発明の画像処理装置にあっては、可搬型記憶媒体に記憶されている暗号化画像データを復号手段で復号しながら読み出す。よって、元の画像データを正しく復元する。
【００１１】
第３発明に係る画像処理装置は、第２発明において、前記暗号化手段による画像データの暗号化、及び前記復号手段による暗号化画像データの復号に使用する鍵情報を記憶する鍵情報記憶手段を備えることを特徴とする。
【００１２】
第３発明の画像処理装置にあっては、鍵情報を使って画像データの暗号化及び暗号化画像データの復号を行う。よって、可搬型記憶媒体に記憶される画像データのセキュリティ性は更に向上する。
【００１３】
第４発明に係る画像処理装置は、第１乃至第３発明のいずれかにおいて、前記制御手段は、前記記憶手段の記憶可能な容量が所定量以下である場合、または、前記記憶手段が故障している場合に、入力された画像データを暗号化して前記可搬型記憶媒体に記憶するように制御すべく構成してあることを特徴とする。
【００１４】
第４発明の画像処理装置にあっては、記憶手段の記憶可能な容量が所定量以下である場合、または、記憶手段が故障している場合に、入力された画像データを暗号化して可搬型記憶媒体に記憶する。よって、記憶手段への記憶処理を行えないときでも、入力画像データを確実に記憶する。
【００１５】
第５発明に係る画像処理装置は、第１乃至第４発明のいずれかにおいて、前記制御手段は、入力された画像データの種別に基づいて、入力された画像データを暗号化して前記可搬型記憶媒体に記憶するか、または、入力された画像データを暗号化せずに前記可搬型記憶媒体に記憶するかを切り替えるべく構成してあることを特徴とする。
【００１６】
第５発明の画像処理装置にあっては、入力された画像データの種別に基づいて、可搬型記憶媒体に記憶する際の暗号化処理の有無を切り換える。ファクシミリ受信のように外部装置から画像データが入力された場合には、周辺に人がいないことが多いため、セキュリティ性を考慮し、入力された画像データを暗号化して可搬型記憶媒体に記憶し、コピー処理のように原稿を読み取って画像データが入力された場合には、装置の前に人がいることが通常であるため、入力された画像データを暗号化せずに可搬型記憶媒体に記憶する。よって、必要な時にのみセキュリティ性を確保して、効率良い対応が可能である。
【００１７】
第６発明に係る画像処理装置は、第１乃至第５発明のいずれかにおいて、日時を計測する計時手段を備えており、前記制御手段は、所定の時間帯である場合に、入力された画像データを暗号化して前記可搬型記憶媒体に記憶するように制御すべく構成してあることを特徴とする。
【００１８】
第６発明の画像処理装置にあっては、所定の時間帯である場合に、入力された画像データを暗号化して可搬型記憶媒体に記憶する。例えば、周辺に人がいなくて可搬型記憶媒体の無断持ち出しが起こり得る夜間には画像データを暗号化して可搬型記憶媒体に記憶し、可搬型記憶媒体の無断持ち出しが起こり得ない昼間には暗号化せずに画像データを可搬型記憶媒体に記憶する。よって、必要な時にのみセキュリティ性を確保して、効率良い処理が可能となる。
【発明の効果】
【００１９】
本発明では、入力された画像データを暗号化して可搬型記憶媒体に記憶するようにしたので、可搬型記憶媒体内の画像データが無断で閲覧されることを防止でき、セキュリティ性を高めることができる。
【００２０】
また、本発明では、可搬型記憶媒体に記憶されている暗号化画像データを復号手段で復号しながら読み出すようにしたので、元の画像データを正しく復元することができる。
【００２１】
また、本発明では、鍵情報（パスワード）を使用して画像データの暗号化及び暗号化画像データの復号を行うようにしたので、セキュリティ性をより高くすることができる。
【００２２】
また、本発明では、記憶手段の記憶可能な容量が所定量以下である場合、または、記憶手段が故障している場合に、入力された画像データを暗号化して可搬型記憶媒体に記憶するようにしたので、記憶手段への記憶処理を行えないときでも、入力画像データを確実に記憶することができる。
【００２３】
また、本発明では、入力された画像データの種別に基づいて、暗号化するかしないかを切り替えるようにしたので、必要な時にのみセキュリティ性を確保して、効率良い対応を行うことができる。
【００２４】
更に、本発明では、夜間などの所定の時間帯において、入力された画像データを暗号化して可搬型記憶媒体に記憶するようにしたので、必要な時にのみセキュリティ性を確保して、効率良い処理を行うことができる。
【発明を実施するための最良の形態】
【００２５】
以下、本発明をその実施の形態を示す図面を参照して具体的に説明する。図１は、本発明の画像処理装置としての複合機（ファクシミリ複合装置）２０の構成を示すブロック図である。複合機２０は、本来のファクシミリ機能，コピー機能に加えて、外部端末装置からネットワークを介して電子メールを受信する機能、及び、入力した画像データをプリントアウトするプリンタ機能を備えた機能複合型のファクシミリ装置である。
【００２６】
複合機２０は、制御部１，読取部２，記録部３，表示部４，操作部５，ＲＯＭ６，ＲＡＭ７，画像メモリ８，暗号化部９，復号部１０，モデム１１，ＮＣＵ（Network Control Unit）１２，インタフェース部１３，外部メモリ装着部１４，タイマ１５などを備えている。外部メモリ装着部１４には、可搬型記憶媒体としてのフラッシュメモリ２１が装着される。
【００２７】
制御手段としての制御部１は、具体的にはＣＰＵで構成されており、バス１６を介して複合機２０の上述したようなハードウェア各部と接続されていて、それらを制御すると共に、ＲＯＭ６に格納された制御プログラムに従って、種々のソフトウェア的機能を実行する。また、制御部１は、後述するような動作処理を行うことにより、入力された画像データを記憶手段（画像メモリ８）に記憶するか可搬型記憶媒体（フラッシュメモリ２１）に記憶するかを切り替える切替手段として機能する。
【００２８】
読取部２は、例えばＣＣＤを利用した光学系で原稿を読み取り、読み取った画像データを出力する。記録部３は、電子写真方式のプリンタ装置であって、読取部２にて読み取った原稿の画像データ、ファクシミリ通信により受信した画像データ、外部端末装置から送られてきた画像データなどに応じた画像を用紙にプリントアウトする。
【００２９】
表示部４は、液晶表示装置またはＣＲＴディスプレイなどの表示装置であり、複合機２０の動作状態を表示したり、ユーザへ操作入力を促す画面またはユーザへ警告を発する画面を表示したりする。操作部５は、複合機２０を操作するために必要な文字キー，テンキー，短縮ダイヤルキー，ワンタッチダイヤルキー，各種のファンクションキーなどを備えている。なお、表示部４をタッチパネル方式とすることにより、操作部５の各種のキーの内の一部または全部を代用することも可能である。
【００３０】
ＲＯＭ６は、複合機２０の動作に必要な種々のソフトウェアの制御プログラムを格納する。ＲＡＭ７は、ソフトウェアの実行時に発生する一時的なデータを記憶する。また、ＲＡＭ７は、入力された画像データを暗号化するとともに、暗号化された画像データを復元するための鍵情報（パスワード）を記憶しており、鍵情報記憶手段として機能する。記憶手段としての画像メモリ８は、ＤＲＡＭなどで構成され、原稿を読み取って得られる画像データ、他のファクシミリ装置などの外部端末装置から受信した画像データなどを記憶する。
【００３１】
暗号化手段としての暗号化部９は、ＲＡＭ７に記憶されたパスワードを使って、他のファクシミリ装置などの外部端末装置から受信した画像データなどを暗号化する。暗号化された画像データは、画像メモリ８の記憶状態に基づいて、外部メモリ装着部１４に装着したフラッシュメモリ２１に記憶される。復号部１０は、外部メモリ装着部１４に装着されたフラッシュメモリ２１から暗号化画像データを読み出して復号し、元の画像データに復元する。
【００３２】
モデム１１は、バス１６に接続されており、ファクシミリ通信が可能なファクシミリモデムから構成されている。また、モデム１１は、同様にバス１６に接続されたＮＣＵ１２と直接的に接続されている。ＮＣＵ１２は、公衆電話回線網（ＰＳＴＮ：Public Switched Telephone Network)との回線Ｌ１の閉結及び開放の動作を行うハードウェアであり、必要に応じてモデム１１をＰＳＴＮと接続する。そして、複合機２０は、ＰＳＴＮによって他のファクシミリ装置と接続されており、通常のファクシミリ通信が行えるようになっている。インタフェース部１３は、ＬＡＮ（Local Area Network），インターネットなどの通信線Ｌ２を介して外部のＰＣなどの外部端末装置に接続されており、外部端末装置との間で電子メールなどのデータのやりとりを行う。これらのモデム１１，ＮＣＵ１２及びインタフェース部１３は、暗号化対象の画像データを外部から入力する入力手段として機能する。
【００３３】
本発明の複合機２０では、他のファクシミリ装置などから画像データを受信した際に、画像メモリ８の使用状態を判断し、画像メモリ８がフル状態である（画像メモリ８での記憶可能な容量が所定量以下である）か、または、画像メモリ８が故障している場合には、受信した画像データを暗号化部９で暗号化し、その暗号化画像データを、外部メモリ装着部１４に装着したフラッシュメモリ２１に書き込んで記憶する。
【００３４】
以下、このような画像データの記憶処理について説明する。図２は、本発明の複合機２０における記憶処理の動作手順の一例を示すフローチャートである。
【００３５】
複合機２０は、通常のファクシミリ通信によって、他のファクシミリ装置から画像データを受信する（ステップＳ１）。制御部１は、画像メモリ８がフル状態である（画像メモリ８での記憶可能な容量が所定量以下である）か否かを判断する（ステップＳ２）。フル状態でない場合（画像メモリ８での記憶可能な容量が所定量より多い場合）には（Ｓ２：ＮＯ）、受信した画像データを画像メモリ８に書き込んで記憶し（ステップＳ５）、動作は終了する。このとき、受信した画像データが符号化されたデータである場合、符号化された状態のまま画像メモリ８に書き込んで記憶する。
【００３６】
画像メモリ８がフル状態である場合に（Ｓ２：ＹＥＳ）、暗号化部９は、ＲＡＭ７に記憶されているパスワードを使って、受信した画像データを暗号化する（ステップＳ３）。そして、制御部１は、得られた暗号化画像データをフラッシュメモリ２１へ転送して、その内部に記憶し（ステップＳ４）、動作は終了する。
【００３７】
なお、上述した例では、画像メモリ８がフル状態である場合に、入力した画像データを暗号化するようにしたが、画像メモリ８が故障している場合に画像データを暗号化するようにしても良いことは勿論である。また、ファクシミリ受信の場合について説明したが、インタフェース部１３を介して外部端末装置から電子メールを受信する場合にも、同様に行えることは勿論である。
【００３８】
このように本発明では、画像メモリ８がフル状態または故障状態である場合に、受信した画像データを暗号化して、装着されているフラッシュメモリ２１に記憶するようにしているため、受信した画像データが記憶不能状態に陥ることはなく、外部から一方的にファクシミリ送信または電子メール送信がなされて、再送要求が不可能または困難な場合でも、受信した画像データを確実に記憶することができる。また、暗号化された状態でフラッシュメモリ２１に画像データが記憶されているため、このフラッシュメモリ２１が誰かに持ち出されたとしても、その持出人は内容を閲覧できない。よって、その内容が漏れることはなく、高いセキュリティ性を実現できている。
【００３９】
本発明の複合機２０では、内部の画像メモリ８または外部メモリ装着部１４に装着されているフラッシュメモリ２１に記憶されている画像データを読み出して、記録部３でプリントアウトする。この際、フラッシュメモリ２１から暗号化画像データを読み出し、読み出した暗号化画像データを復号部１０で復号して、元の画像データに復元する。
【００４０】
以下、このような画像データの記録処理について説明する。図３は、本発明の複合機２０における記録処理の動作手順の一例を示すフローチャートである。
【００４１】
操作部５のプリント開始キーが押された場合、制御部１は、画像メモリ８に受信した画像データがあるか否かを判断する（ステップＳ１１）。画像データがある場合（Ｓ１１：ＹＥＳ）、その画像データを画像メモリ８から読み出して記録部３でプリントアウトし（ステップＳ１７）、動作は終了する。画像メモリ８に画像データがない場合（Ｓ１１：ＮＯ）、制御部１は、フラッシュメモリ２１に暗号化画像データがあるか否かを判断する（ステップＳ１２）。暗号化画像データがない場合には（Ｓ１２：ＮＯ）、そのまま動作は終了する。
【００４２】
暗号化画像データがある場合（Ｓ１２：ＹＥＳ）、復号部１０は、その暗号化画像データをフラッシュメモリ２１から読み出し、ＲＡＭ７に記憶されているパスワードを使って、読み出した暗号化画像データを復号する（ステップＳ１３）。制御部１は、画像データを正常に復元できたか否かを判断する（ステップＳ１４）。正常に復元できた場合（Ｓ１４：ＹＥＳ）、その復元画像データを記録部３でプリントアウトして（ステップＳ１５）、動作は終了する。正常に復元できない場合には（Ｓ１４：ＮＯ）、表示部４にエラーメッセージを表示して（ステップＳ１６）、動作は終了する。
【００４３】
このように本発明では、フラッシュメモリ２１に記憶されている暗号化画像データを、暗号化時と同じパスワードを使って、復号部１０で復号しながら読み出すため、元の画像データを正しく復元でき、また、フラッシュメモリ２１に記憶される画像データのセキュリティ性を向上できる。
【００４４】
本発明は、不特定多数からの受信など、再入力が不可能または困難である場合に特に有効な手法であり、オペレータが傍にいて、原稿を読取部２で読み取らせて画像データを入力するときなどのように、画像メモリ８に空きが生じた後に再度入力処理を行えるような場合には、このような暗号化処理は特別必要ではない。このような場合には、フラッシュメモリ２１への記憶処理自体を禁止させるか、または、暗号化処理を行わずにフラッシュメモリ２１に記憶するようにすれば良い。
【００４５】
このように、入力された画像データの種別に応じて、暗号化してフラッシュメモリ２１に記憶するか、または、暗号化せずにフラッシュメモリ２１に記憶するかを切り替えることが可能である。画像メモリ８がフル状態または故障しているときに画像データが入力されると、その画像データの出力形態を判断し、外部装置から受信された画像データである場合には、前述したように、その入力された画像データを暗号化した後にフラッシュメモリ２１に記憶し、読取りによる画像データである場合には、暗号化せずにフラッシュメモリ２１に記憶する。
【００４６】
図４は、本発明の複合機２０における画像データの記憶処理の動作手順の他の例を示すフローチャートである。この例では、時刻情報（計時手段としてのタイマ１５での計時結果）に応じて、フラッシュメモリ２１に記憶する画像データに対する暗号化処理の有無を制御する。
【００４７】
複合機２０は、通常のファクシミリ通信によって、他のファクシミリ装置から画像データを受信する（ステップＳ２１）。制御部１は、画像メモリ８がフル状態である（画像メモリ８での記憶可能な容量が所定量以下である）か否かを判断する（ステップＳ２２）。フル状態でない場合（画像メモリ８での記憶可能な容量が所定量より多い場合）には（Ｓ２２：ＮＯ）、受信した画像データを画像メモリ８に書き込んで記憶し（ステップＳ２７）、動作は終了する。
【００４８】
画像メモリ８がフル状態である場合に（Ｓ２２：ＹＥＳ）、制御部１は、タイマ１５での計時結果に基づき、日時が所定時間帯（例えば、平日の午前９時〜午後５時以外の時間帯、言い換えると平日の午後５時〜午前９時及び土日祝日の全時間帯）であるか否かを判断する（ステップＳ２３）。所定時間帯でない場合には（Ｓ２３：ＮＯ）、受信した画像データを暗号化せずにそのままフラッシュメモリ２１へ転送して、その内部に記憶し（ステップＳ２６）、動作は終了する。一方、所定時間帯である場合に（Ｓ２３：ＹＥＳ）、暗号化部９は、ＲＡＭ７に記憶されているパスワードを使って、受信した画像データを暗号化する（ステップＳ２４）。そして、制御部１は、得られた暗号化画像データをフラッシュメモリ２１へ転送して、その内部に記憶し（ステップＳ２５）、動作は終了する。
【００４９】
昼間の時間帯（例えば、平日の午前９時〜午後５時）には、複合機２０の近傍には誰か人がいて、フラッシュメモリ２１が無断で持ち去られる危険性は低いと考えられる。そこで、この昼間の時間帯では暗号化せずに画像データをフラッシュメモリ２１に記憶する。これに対して、夜間の時間帯（例えば、午後５時〜午前９時）は、無断で持ち去られる可能性が高いため、画像データを暗号化してフラッシュメモリ２１に記憶してセキュリティ性を確保する。また、土日祝日には無人状態となる場合が多いため、それらの日には終日画像データを暗号化してフラッシュメモリ２１に記憶する。
【００５０】
図５は、本発明の複合機２０における画像データの記録処理の動作手順の他の例を示すフローチャートである。この例では、他の画像形成装置で暗号化された画像データを記憶したフラッシュメモリ２１が装着される可能性を考慮して、オペレータからパスワードの受付けを行えるようにしている。また、暗号化されていない非暗号化画像データがフラッシュメモリ２１に記憶されている可能性も考慮している。
【００５１】
操作部５のプリント開始キーが押された場合、制御部１は、画像メモリ８に受信した画像データがあるか否かを判断する（ステップＳ３１）。画像データがある場合（Ｓ３１：ＹＥＳ）、その画像データを画像メモリ８から読み出して記録部３でプリントアウトし（ステップＳ４１）、動作は終了する。画像メモリ８に画像データがない場合（Ｓ３１：ＮＯ）、制御部１は、フラッシュメモリ２１に非暗号化画像データがあるか否かを判断する（ステップＳ３２）。非暗号化画像データがある場合には（Ｓ３２：ＹＥＳ）、その画像データを画像メモリ８から読み出して記録部３でプリントアウトし（ステップＳ４２）、動作は終了する。フラッシュメモリ２１に非暗号化画像データがない場合（Ｓ３２：ＮＯ）、制御部１は、フラッシュメモリ２１に暗号化画像データがあるか否かを判断する（ステップＳ３３）。暗号化画像データがない場合には（Ｓ３３：ＮＯ）、そのまま動作は終了する。
【００５２】
暗号化画像データがある場合（Ｓ３３：ＹＥＳ）、その暗号化画像データをフラッシュメモリ２１から読み出し、ＲＡＭ７に記憶されているパスワードを使って、読み出した暗号化画像データを復号する（ステップＳ３４）。制御部１は、画像データを正常に復元できたか否かを判断する（ステップＳ３５）。正常に復元できた場合（Ｓ３５：ＹＥＳ）、その復元画像データを記録部３でプリントアウトして（ステップＳ３６）、動作は終了する。
【００５３】
正常に復元できない場合（Ｓ３５：ＮＯ）、表示部４にパスワード入力をオペレータに促すメッセージを表示する（ステップＳ３７）。そして、操作部５を介して入力されたパスワードを使って、読み出した暗号化画像データを再度復号する（ステップＳ３８）。制御部１は、画像データを正常に復元できたか否かを判断する（ステップＳ３９）。正常に復元できた場合（Ｓ３９：ＹＥＳ）、その復元画像データを記録部３でプリントアウトして（Ｓ３６）、動作は終了する。正常に復元できない場合には（Ｓ３９：ＮＯ）、表示部４にエラーメッセージを表示して（ステップＳ４０）、動作は終了する。
【００５４】
よって、この例では、別の画像処理装置でそれ固有のパスワードを使って暗号化された画像データを記憶しているフラッシュメモリ２１が装着された場合に、その固有のパスワードを入力することにより、安全性を保った状態で、その暗号化画像データを復号してプリントアウトすることができる。
【図面の簡単な説明】
【００５５】
【図１】本発明の画像処理装置としての複合機の構成を示すブロック図である。
【図２】本発明における記憶処理の動作手順の一例を示すフローチャートである。
【図３】本発明における記録処理の動作手順の一例を示すフローチャートである。
【図４】本発明における記憶処理の動作手順の他の例を示すフローチャートである。
【図５】本発明における記録処理の動作手順の他の例を示すフローチャートである。
【符号の説明】
【００５６】
１  制御部（制御手段，切替手段）
６  ＲＯＭ
７  ＲＡＭ（鍵情報記憶手段）
８  画像メモリ（記憶手段）
９  暗号化部（暗号化手段）
１０  復号部（復号手段）
１１  モデム（入力手段）
１２  ＮＣＵ（入力手段）
１３  インタフェース部（入力手段）
１４  外部メモリ装着部（装着手段）
１５  タイマ（計時手段）
２１  フラッシュメモリ（可搬型記憶媒体）
【図１】
2006135908.tif 000003
【図２】
2006135908.tif 000004
【図３】
2006135908.tif 000005
【図４】
2006135908.tif 000006
【図５】
2006135908.tif 000007